(57)【要約】【課題】安価に製造でき、しかも、体背面部の整体とストレッチに効果の高いローラ式マッサージ器を提供する。【解決手段】複数本の連結棒６にて互いに平行に連結された一対の長形側板２と、側板２の間に凸面状等間隔に回転自在に取り付けられた１０〜１６本のローラ支軸３とを備え、各ローラ支軸３の中央部に間隔を開けて２個のローラ８を固着したローラ式マッサージ器１。【選択図】図１
0003126225.tif 000002
【実用新案登録請求の範囲】
【請求項１】
複数本の連結棒にて互いに平行に連結された一対の長形側板と、該側板の間に凸面状等間隔に回転自在に取り付けられた１０〜１６本のローラ支軸とを備え、前記各ローラ支軸の中央部に間隔を開けて２個のローラを固着したローラ式マッサージ器。
【請求項２】
前記ローラの形状は、軸方向長さ１〜３ｃｍの俵状をなし、ローラ軸上の各ローラ同士は５〜１０ｃｍの間隔が開いていることを特徴とする請求項１に記載のローラ式マッサージ器。
【請求項３】
材質が木またはプラスチックである請求項１または２に記載のローラ式マッサージ器。
【考案の詳細な説明】
【技術分野】
【０００１】
本考案は、体の背面、特に背中部の整体やストレッチのために使用するローラ式マッサージ器（別名ローリングストレッチャー）に関する。
【背景技術】
【０００２】
従来、側板間に曲線に沿ってローラを並置し、整体、ストレッチなど用いられるローラ式マッサージ器が知られている（特許文献１および２）。特許文献１に記載のマッサージ器は、互いに平行に連結された一対の側板と、前記側板間に弓状の曲線に沿って略等間隔で並列に配置され、軸上にそれぞれ複数のローラが直列に取り付けられた複数のローラ支軸とを備え、前記ローラの表面の両側にアールが形成されている。
【０００３】
特許文献２に記載のる背骨、腰骨等用のストレッチャーは、一方が高く、他方が低くなった略弓形でなる一対の側板と、この側板間に多数本設けた軸と、この各軸に回転自在に設けた多数のローラ、大径の複数のローラとで構成され、前記多数のローラの中に大径の複数のローラを配備している。
【特許文献１】登録実用新案第３０４７１７４
【特許文献２】特開２００３−２３５９２２
【考案の開示】
【考案が解決しようとする課題】
【０００４】
上記従来のマッサージ器は、体背面部の整体とストレッチに効果を有するものの、構造部材が多いため、安価に製造することができない。そこで、本考案の課題は、安価に製造でき、しかも、体背面部の整体とストレッチに効果の高いストレッチャーを提供することにある。
【課題を解決するための手段】
【０００５】
本考案者は上記課題を鋭意検討した結果、ローラ軸の取付け方法と該ローラ軸の体当接部の形状を特定することによって、上記課題を解決できることを見いだした。すなわち、本考案は、複数本の連結棒にて互いに平行に連結された一対の長形側板と、該側板の間に凸面状等間隔に回転自在に取り付けられた１０〜１６本のローラ支軸とを備え、前記各ローラ支軸の中央部に間隔を開けて２個のローラを固着したローラ式マッサージ器を提供する。
【０００６】
前記ローラの体接触部は、軸方向長さ１〜３ｃｍの俵状をなし、各ローラ同士は５〜１０ｃｍの間隔が開いていることが好ましい。
【０００７】
ローラ式マッサージ器の材質は、木またはプラスチックであることが好ましい。
【考案の効果】
【０００８】
請求項１に記載のローラ式マッサージ器は、複数本の連結棒にて互いに平行に連結された一対の長形側板と、該側板の間に凸面状等間隔に回転自在に取り付けられた１０〜１６本のローラ支軸とを備え、前記各ローラ支軸の中央部に同じ間隔を開けて２個のローラを固着するよう構成されている。本考案では、ローラ支軸３にローラ８を予め固着したものを、両側板２間に回転自在に嵌めるように構成したので、製造コストが従来のものより安くて済む。しかも、２個のローラが体背面部のツボを効果的に刺激するため、整体やストレッチ効果が充分に発揮される。
【０００９】
請求項２に記載の本考案のローラ式マッサージ器は、ローラの軸方向の長さ１〜３ｃｍにわたって俵状の形をなし、各ローラ同士は５〜１０ｃｍの間隔が開いているよう構成されている。この２個の平面状ローラが体背面部のツボを適度に刺激することにより、整体とストレッチ効果がより一層発揮される。
【００１０】
請求項３に記載の本考案のローラ式マッサージ器は、材質が木またはプラスチックに特定されている。ゴムの木のような木質を採用すれば、軽量かつ高強度のものが安価に製造可能である。木質は意匠性が高い点でも優れている。一方、プラスチックは、軽量で移送性に優れる。
【考案を実施するための最良の形態】
【００１１】
以下に、添付の図面を用いて、本考案のローラ式マッサージ器をより詳細に説明する。図１〜４は、それぞれ、本考案のローラ式マッサージ器の斜視図、平面図、底面図および正面図である。
【００１２】
図中、１はローラ式マッサージ器本体である。本体１の材質は、木質またはプラスチック製である。好ましくは、ゴムの木のような軽量かつ高強度の木質である。２は、二枚の同じ形状の側板である。両側板２は、複数本（図では３本）の連結部材６によって、互いに平行に連結されている。
【００１３】
両側板２間には、複数本（図では１２本）のローラ支軸３が、互いに等間隔に凸面状に回転自在に取り付けられている。隣同士のローラ支軸３の間隔は、通常、３〜６ｃｍであり、好ましくは４〜５ｃｍである。この距離は、背骨を構成する椎骨と椎間板の一組の大きさに対応しているので、本考案のローラ式マッサージ器は、椎骨と椎間板を個別に矯正可能である。
【００１４】
ローラ支軸３の径は、通常、１〜２ｃｍである。径が１ｃｍより細すぎると、ストレチャーに体重が乗った時に、それを支えきれない。
【００１５】
複数本のローラ支軸３は、凸面状、好ましくはローラ式マッサージ器一端側４からやや急勾配に上り、頂点から他端側５に向かってなだらかに降りるようなアーチ状に配置される。これにより、本体１に背中等を載置した際に、背中の自重で背骨等にストレッチ効果が働く。凸面状のコンケーブの大きさ（すなわち、底面から頂点までの距離）は、通常、５〜１０ｃｍである。コンケーブが５ｃｍ以下であると、ストレッチ効果が発揮されず、逆に、１０ｃｍより大であると、背中等に重力負荷がかかりすぎる。
【００１６】
側板２の形状は、ローラ支軸３が凸面状に配置されるのに対応したウエーブを有する。側板２の長手方向の長さは、通常、２０〜８０ｃｍであり、好ましくは３０〜６０ｃｍである。ここで、側板２の上面とローラ８とは、ほぼ同じ高さになっている。
【００１７】
両側板２の間隔を決める連結部材６の長さは、通常、２０〜５０ｃｍであり、好ましくは２５〜４０ｃｍである。この間隔が短すぎると、背中等を支持できない等の不具合を生じる。逆に、５０ｃｍより大きくても、大きさに見合った効果が得られず、コスト高の要因となる。ここで、ローラ支軸３の長さは、連結部材６の長さより若干短い。
【００１８】
連結部材６と両側板２とは、螺子、ボルト、釘等の汎用の固定手段（図１では螺子７）で固定される。脱着自在な螺子が好ましい。
【００１９】
各ローラ支軸３の中央部には、２個のローラ８が、間隔を置いて直列に固着されている。ローラ８は、従来のストレッチャーと違って、ローラ支軸３の回転につれて一緒に回転する。
【００２０】
ローラ８は、端面の丸められたいわゆる俵状の形をなす。各ローラ８の軸方向長さは、通常、１〜５ｃｍであり、好ましくは２〜４ｃｍである。この長さが１ｃｍより短いと、ローラ８の体当接部（例えば背中）への刺激が強すぎる。逆に、５ｃｍより大であると、接触面積が多過ぎて、体当接部への刺激が不足する。
【００２１】
一本のローラ支軸３に固定する２個のローラ８同士の間隔は、通常、３〜１０ｃｍであり、好ましくは５〜７ｃｍである。この範囲であると、２個のローラが背骨（椎骨）を挟むように配置され、背骨の矯正に好適である。
【００２２】
本考案のローラ式マッサージ器１は、以下のように使用される。本体１を床に起き、人の背骨が２個のローラ間に挟まるように仰臥する。適宜、体を本体１に沿って上下動させる。これにより、背、腰および首の背面のストレッチ、背骨、肩甲骨、腰骨および首筋の矯正、特に、背中のストレッチと背筋の矯正になる。また、肩および背中の筋肉を、適度にマッサージすることにより、肩こり、腰痛、首の痛み等の解消にも役立つ。また、本体１に足のふくらはぎを乗せると、足の血行が促進され、足のむくみの解消に役立つ。
【図面の簡単な説明】
【００２３】
【図１】本考案のローラ式マッサージ器の斜視図である。
【図２】図１のローラ式マッサージ器の平面図である。
【図３】図１のローラ式マッサージ器の底面図である。
【図４】図１のローラ式マッサージ器の正面図である。
【符号の説明】
【００２４】
１        ローラ式マッサージ器本体
２        側板
３        ローラ支軸
４        ローラ式マッサージ器一端側
５        ローラ式マッサージ器他端側
６        連結部材
７        螺子
８        ローラ
【図１】
0003126225.tif 000003
【図２】
0003126225.tif 000004
【図３】
0003126225.tif 000005
【図４】
0003126225.tif 000006